(57)【要約】【課題】印刷に要する時間の増大を抑止することのできる用紙種類判別装置および用紙種類判別装置の制御プログラムを提供する。【解決手段】用紙種類判別装置としての画像形成装置１は、用紙を収容する給紙トレイ１１と、給紙トレイ１１から用紙を搬送する用紙搬送部１０と、搬送される用紙の坪量を測定する坪量センサー２３と、坪量と用紙の種類との関係を記載した種類判別テーブルを記憶する記憶装置と、ＣＰＵ（Ｃｅｎｔｒａｌ  Ｐｒｏｃｅｓｓｉｎｇ  Ｕｎｉｔ）とを備える。種類判別テーブルには、用紙の種類が一意的に判別される坪量の範囲である一意的範囲と、第１および第２の種類のいずれかに用紙の種類が判別される坪量の範囲である選択範囲とが規定されている。測定した坪量が選択範囲内の値である場合、ＣＰＵは、選択画面を表示し、給紙トレイ１１に収容された用紙の種類を、選択画面を通じて受け付けた種類に設定する。【選択図】図２
2020070137.tif 000002
【特許請求の範囲】
【請求項１】
用紙を収容する収容部と、
搬送経路に沿って前記収容部から用紙を搬送する搬送手段と、
前記搬送経路に沿って搬送される用紙の坪量を測定する測定手段と、
坪量と用紙の種類との関係を記載した種類判別テーブルを記憶する記憶装置と、
前記測定手段にて測定した坪量に基づいて、前記収容部に収容された用紙の種類を設定する設定手段とを備え、
前記種類判別テーブルには、用紙の種類が一意的に判別される坪量の範囲である一意的範囲と、坪量が相対的に大きい第１の種類と坪量が相対的に小さい第２の種類とのいずれかに用紙の種類が判別される坪量の範囲である選択範囲とが規定されており、
前記測定手段にて測定した坪量が前記選択範囲内の値である場合、前記第１および第２の種類から用紙の種類を選択する操作を受け付ける画面である選択画面を表示し、前記選択画面を通じて選択を受け付ける選択画面表示手段をさらに備え、
前記選択画面を表示した場合、前記設定手段は、前記収容部に収容された用紙の種類を、前記選択画面を通じて受け付けた種類に設定する、用紙種類判別装置。
【請求項２】
前記一意的範囲は、用紙の種類が前記第１の種類であると一意的に判別される坪量の範囲である第１の一意的範囲と、用紙の種類が前記第２の種類であると一意的に判別される坪量の範囲である第２の一意的範囲とを含み、前記第１の種類の用紙の搬送速度と前記第２の種類の用紙の搬送速度とは互いに異なり、
前記選択範囲は、前記第１の一意的範囲と前記第２の一意的範囲との間に設定される、請求項１に記載の用紙種類判別装置。
【請求項３】
前記収容部に収容された用紙の種類を前記設定手段にて設定した後で、前記収容部に収容された用紙の種類を設定する操作を受け付ける設定画面を表示し、前記設定画面を通じて用紙の種類の設定を受け付ける設定画面表示手段と、
前記収容部に収容された用紙の種類の設定を、前記設定画面表示手段にて設定を受け付けた種類に変更する変更手段とをさらに備え、
前記設定画面表示手段は、前記第１の種類および前記第２の種類の中から用紙の種類を設定する操作を受け付ける前記設定画面を表示する、請求項１または２に記載の用紙種類判別装置。
【請求項４】
前記測定手段にて測定した坪量が前記一意的範囲内の値である場合、前記設定画面表示手段は前記設定画面を通じて用紙の種類を設定する操作を受け付けない、請求項３に記載の用紙種類判別装置。
【請求項５】
前記選択画面の表示の要否を判別する要否判断手段をさらに備え、
前記測定手段にて測定した坪量が前記選択範囲内の値である場合において、前記選択画面の表示が不要であると前記要否判断手段にて判断したときは、前記選択画面表示手段は前記選択画面を表示しない、請求項１〜４のいずれかに記載の用紙種類判別装置。
【請求項６】
前記収容部に収容された用紙の種類の変更を検出する変更検出手段をさらに備え、
前記収容部に収容された用紙の種類が設定されている状態で、前記収容部に収容された用紙の種類の変更を前記変更検出手段にて検出していない場合、前記要否判断手段は前記選択画面の表示が不要であると判断する、請求項５に記載の用紙種類判別装置。
【請求項７】
前記収容部に収容された用紙の種類が設定されている状態で、前記収容部に収容された用紙の種類の変更を前記変更検出手段にて検出していない場合、前記設定手段は前記収容部に収容された用紙の種類の設定を変更しない、請求項６に記載の用紙種類判別装置。
【請求項８】
受け付けたジョブに従って画像を形成する画像形成手段をさらに備え、
前記ジョブの種類が特定の種類である場合に、前記要否判断手段は前記選択画面の表示が不要であると判断する、請求項５に記載の用紙種類判別装置。
【請求項９】
前記特定の種類は、前記画像形成装置の管理のための印刷ジョブを含む、請求項８に記載の用紙種類判別装置。
【請求項１０】
前記記憶装置は、用紙の種類と搬送速度との関係を記載した搬送速度判別テーブルをさらに記憶し、
前記要否判断手段にて前記選択画面の表示が不要であると判断した場合、前記設定手段は、前記搬送速度判別テーブルに基づいて前記第１および第２の種類の用紙の各々の搬送速度を特定し、前記収容部に収容された用紙の種類を、前記第１および第２の種類のうち搬送速度が速い方の種類に設定する、請求項８または９に記載の用紙種類判別装置。
【請求項１１】
受け付けたジョブに従って画像を形成する画像形成手段をさらに備え、
前記記憶装置は、用紙の種類と搬送速度との関係を記載した搬送速度判別テーブルと、坪量と用紙の種類との関係を記載した他の種類判別テーブルであって、坪量に対して用紙の種類が一意的に規定された他の種類判別テーブルとをさらに記憶し、
前記ジョブのモードが特定のモードである場合に、前記要否判断手段は前記選択画面の表示が不要であると判断し、
前記要否判断手段にて前記選択画面の表示が不要であると判断し、かつ前記ジョブのモードが第１のモードである場合に、前記設定手段は、前記測定手段にて測定した坪量に基づいて、前記搬送速度判別テーブルを用いて、前記収容部に収容された用紙の種類を設定し、
前記要否判断手段にて前記選択画面の表示が不要であると判断し、かつ前記ジョブのモードが前記第１のモードとは異なる第２のモードである場合に、前記設定手段は、前記測定手段にて測定した坪量に基づいて、前記他の種類判別テーブルを用いて、前記収容部に収容された用紙の種類を設定する、請求項５に記載の用紙種類判別装置。
【請求項１２】
ユーザーから受け付けたジョブに従って画像を形成する画像形成手段と、
前記ユーザーの位置の情報を取得する位置取得手段とをさらに備え、
前記ユーザーの位置が前記画像形成装置の位置から所定の距離よりも離れている場合に、前記要否判断手段は前記選択画面の表示が不要であると判断する、請求項５に記載の用紙種類判別装置。
【請求項１３】
受け付けたジョブに従って画像を形成する画像形成手段をさらに備え、
前記ジョブに所定の後処理が設定されている場合に、前記要否判断手段は前記選択画面の表示が不要であると判断し、前記設定手段は前記収容部に収容された用紙の種類を前記第１の種類に設定する、請求項５に記載の用紙種類判別装置。
【請求項１４】
前記設定手段にて用紙の種類を設定した後の所定の場合に、前記第１および第２の種類から用紙の種類を選択する操作を受け付ける画面である他の選択画面を表示し、前記他の選択画面を通じて選択を受け付ける他の選択画面表示手段と、
前記他の選択画面を表示した場合、前記設定手段にて設定した用紙の種類を、前記他の選択画面表示手段にて選択を受け付けた種類に変更する第１の設定変更手段とをさらに備えた、請求項５〜１３のいずれかに記載の用紙種類判別装置。
【請求項１５】
前記設定手段にて用紙の種類を設定した後で前記画像形成手段にて形成した画像の品質を評価する評価手段をさらに備え、
前記要否判断手段にて前記選択画面の表示が不要であると判断し、かつ前記評価手段にて評価した品質が所定の値よりも低い場合に、前記他の選択画面表示手段は前記他の選択画面を表示し、前記他の選択画面を通じて選択を受け付ける、請求項１４に記載の用紙種類判別装置。
【請求項１６】
前記要否判断手段にて前記選択画面の表示が不要であると判断し、かつジャムの発生回数が所定の回数を超えた場合に、前記他の選択画面表示手段は前記他の選択画面を表示し、前記他の選択画面を通じて選択を受け付ける、請求項１４または１５に記載の用紙種類判別装置。
【請求項１７】
前記設定手段にて用紙の種類を設定した後で画像形成手段にて形成した画像の品質の評価値が所定の値よりも低く、かつ前記測定手段にて測定した坪量が前記選択範囲内の値であり、かつ前記設定手段にて設定した用紙の種類と、坪量と用紙の種類との関係を記載した他の種類判別テーブルであって、坪量に対して用紙の種類が一意的に規定された他の種類判別テーブルを用いて判別した用紙の種類とが互いに異なる場合に、前記設定手段にて設定した用紙の種類を、前記他の種類判別テーブルを用いて判別した種類に変更する第２の設定変更手段をさらに備えた、請求項１〜１６のいずれかに記載の用紙種類判別装置。
【請求項１８】
前記測定手段にて測定した坪量が前記選択範囲内の値であり、かつ前記設定手段にて用紙の種類を設定した後のジャムの発生回数が所定の回数を超えた場合に、前記設定手段にて設定した用紙の種類を、前記第１および第２の種類のうち搬送速度が遅い方の種類に変更する第３の設定変更手段をさらに備えた、請求項１〜１７のいずれかに記載の用紙種類判別装置。
【請求項１９】
用紙を収容する収容部と、搬送経路に沿って前記収容部から用紙を搬送する搬送手段と、前記搬送経路に沿って搬送される用紙の坪量を測定する測定手段と、坪量と用紙の種類との関係を記載した種類判別テーブルを記憶する記憶装置とを備えた、用紙種類判別装置の制御プログラムであって、
前記測定手段にて測定した坪量に基づいて、前記収容部に収容された用紙の種類を設定する設定ステップをコンピューターに実行させるためのものであり、
前記種類判別テーブルには、用紙の種類が一意的に判別される坪量の範囲である一意的範囲と、坪量が相対的に大きい第１の種類と坪量が相対的に小さい第２の種類とのいずれかに用紙の種類が判別される坪量の範囲である選択範囲とが規定されており、
前記測定手段にて測定した坪量が前記選択範囲内の値である場合、前記第１および第２の種類から用紙の種類を選択する操作を受け付ける画面である選択画面を表示し、前記選択画面を通じて選択を受け付ける選択画面表示ステップをさらにコンピューターに実行させるためのものであり、
前記選択画面を表示した場合、前記設定ステップにおいて、前記収容部に収容された用紙の種類を、前記選択画面を通じて選択を受け付けた種類に設定する、用紙種類判別装置の制御プログラム。
【発明の詳細な説明】
【技術分野】
【０００１】
本発明は、用紙種類判別装置および用紙種類判別装置の制御プログラムに関する。より特定的には、本発明は、印刷に要する時間の増大を抑止することのできる用紙種類判別装置および用紙種類判別装置の制御プログラムに関する。
【背景技術】
【０００２】
電子写真式の画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
画像形成装置は、印刷を行う際に、用紙の種類に応じて搬送速度などのパラメーターを適切な値に設定することで、画像の品質を向上するとともに、ジャムなどのトラブルの発生を回避している。このため、画像形成装置が印刷を適切に実行するためには、給紙トレイに収容されている用紙の種類が正しく設定されている必要がある。
【０００４】
しかし、ユーザーが用紙の種類を正確に判断することは難しいため、給紙トレイに収容した際に、用紙の種類が誤って設定され、ジャムなどトラブルが発生することがある。そこで、従来の画像形成装置は、用紙の反射光量や透過光量などに基づいて用紙の坪量を測定し、予め記憶装置に保存されている用紙種類判別テーブルを用いて、測定した坪量から用紙の種類を判別する。この種の画像形成装置では、判別した種類に応じた搬送速度で用紙を搬送しながら、用紙に対して印刷を行う。用紙種類判別テーブルには、用紙の種類と坪量の範囲との関係が記載されている。
【０００５】
用紙の種類の判別に関する技術は下記特許文献１〜３などに開示されている。下記特許文献１には、用紙の幅方向における中央に位置する中央領域内と、中央領域よりも用紙の幅方向における両外側にそれぞれ位置する第１の端部領域内および第２の端部領域内とを検出位置として、用紙の厚みの指標値である厚み指標値を検出する技術が開示されている。
【０００６】
下記特許文献２には、プリンターにセットされている用紙の種別と印刷設定処理部で設定されている用紙との不適合が発生しているかどうかを判定して、印刷データ生成処理部による印刷データの生成や生成された印刷データの出力を制限する技術が開示されている。
【０００７】
下記特許文献３には、ホスト装置のプリンタードライバーが、プリンターからインクカートリッジに記憶されているインク特性の情報を取得し、取得したインク特性情報からプリンターに装着されたインクカートリッジで印刷可能な用紙種類を判断する技術が開示されている。このプリンタードライバーは、その用紙種類だけをユーザーが選択できる内容の用紙選択メニューを設定し、設定画面にその用紙選択メニューを表示する。
【先行技術文献】
【特許文献】
【０００８】
【特許文献１】特開２０１７−１９３３９０号公報
【特許文献２】特開２００５−０６２９１６号公報
【特許文献３】特開２００１−２１３０３２号公報
【発明の概要】
【発明が解決しようとする課題】
【０００９】
従来の用紙種類判別テーブルにおいて、搬送速度が速い第１の種類の用紙の坪量の範囲である第１の範囲と、搬送速度が遅い第２の種類の用紙の坪量の範囲である第２の範囲とが互いに隣接して規定されている場合において、測定された坪量が第２の範囲内の値であるときは、搬送速度が遅い第２の種類の用紙であると判別される。
【００１０】
ところで、写真画像を印刷する際に必要な画像の品質は高い。このため、写真画像などの高品質の画質の画像を用紙に印刷する際には、用紙の搬送速度を遅くする必要がある。一方で、文書などを印刷する際に必要な画像の品質は、一般的には写真に必要な画像の品質よりも低くても問題ない。このため、文書を印刷する際には、速い搬送速度であっても十分な品質の画像を印刷することが可能である。
【００１１】
従来の用紙種類判別テーブルに規定されている坪量の範囲は、その範囲内の坪量を有する用紙を搬送した場合に、要求される画像の品質に関わらず、画像の品質に問題が生じないような搬送速度となるような範囲であった。このため、測定した坪量が第２の範囲内の値であって、第１の範囲と第２の範囲との境界値付近の値である場合には、速い搬送速度で搬送したとしても文書などを印刷する際には十分な品質の画像を印刷することが可能であるにもかかわらず、遅い搬送速度で用紙が搬送される事態となり、印刷に要する時間が増大していた。
【００１２】
本発明は、上記課題を解決するためのものであり、その目的は、印刷に要する時間の増大を抑止することのできる用紙種類判別装置および用紙種類判別装置の制御プログラムを提供することである。
【課題を解決するための手段】
【００１３】
本発明の一の局面に従う用紙種類判別装置は、用紙を収容する収容部と、搬送経路に沿って収容部から用紙を搬送する搬送手段と、搬送経路に沿って搬送される用紙の坪量を測定する測定手段と、坪量と用紙の種類との関係を記載した種類判別テーブルを記憶する記憶装置と、測定手段にて測定した坪量に基づいて、収容部に収容された用紙の種類を設定する設定手段とを備え、種類判別テーブルには、用紙の種類が一意的に判別される坪量の範囲である一意的範囲と、坪量が相対的に大きい第１の種類と坪量が相対的に小さい第２の種類とのいずれかに用紙の種類が判別される坪量の範囲である選択範囲とが規定されており、測定手段にて測定した坪量が選択範囲内の値である場合、第１および第２の種類から用紙の種類を選択する操作を受け付ける画面である選択画面を表示し、選択画面を通じて選択を受け付ける選択画面表示手段をさらに備え、選択画面を表示した場合、設定手段は、収容部に収容された用紙の種類を、選択画面を通じて受け付けた種類に設定する。
【００１４】
上記用紙種類判別装置において好ましくは、一意的範囲は、用紙の種類が第１の種類であると一意的に判別される坪量の範囲である第１の一意的範囲と、用紙の種類が第２の種類であると一意的に判別される坪量の範囲である第２の一意的範囲とを含み、第１の種類の用紙の搬送速度と第２の種類の用紙の搬送速度とは互いに異なり、選択範囲は、第１の一意的範囲と第２の一意的範囲との間に設定される。
【００１５】
上記用紙種類判別装置において好ましくは、収容部に収容された用紙の種類を設定手段にて設定した後で、収容部に収容された用紙の種類を設定する操作を受け付ける設定画面を表示し、設定画面を通じて用紙の種類の設定を受け付ける設定画面表示手段と、収容部に収容された用紙の種類の設定を、設定画面表示手段にて設定を受け付けた種類に変更する変更手段とをさらに備え、設定画面表示手段は、第１の種類および第２の種類の中から用紙の種類を設定する操作を受け付ける設定画面を表示する。
【００１６】
上記用紙種類判別装置において好ましくは、測定手段にて測定した坪量が一意的範囲内の値である場合、設定画面表示手段は設定画面を通じて用紙の種類を設定する操作を受け付けない。
【００１７】
上記用紙種類判別装置において好ましくは、選択画面の表示の要否を判別する要否判断手段をさらに備え、測定手段にて測定した坪量が選択範囲内の値である場合において、選択画面の表示が不要であると要否判断手段にて判断したときは、選択画面表示手段は選択画面を表示しない。
【００１８】
上記用紙種類判別装置において好ましくは、収容部に収容された用紙の種類の変更を検出する変更検出手段をさらに備え、収容部に収容された用紙の種類が設定されている状態で、収容部に収容された用紙の種類の変更を変更検出手段にて検出していない場合、要否判断手段は選択画面の表示が不要であると判断する。
【００１９】
上記用紙種類判別装置において好ましくは、収容部に収容された用紙の種類が設定されている状態で、収容部に収容された用紙の種類の変更を変更検出手段にて検出していない場合、設定手段は収容部に収容された用紙の種類の設定を変更しない。
【００２０】
上記用紙種類判別装置において好ましくは、受け付けたジョブに従って画像を形成する画像形成手段をさらに備え、ジョブの種類が特定の種類である場合に、要否判断手段は選択画面の表示が不要であると判断する。
【００２１】
上記用紙種類判別装置において好ましくは、特定の種類は、画像形成装置の管理のための印刷ジョブを含む。
【００２２】
上記用紙種類判別装置において好ましくは、記憶装置は、用紙の種類と搬送速度との関係を記載した搬送速度判別テーブルをさらに記憶し、要否判断手段にて選択画面の表示が不要であると判断した場合、設定手段は、搬送速度判別テーブルに基づいて第１および第２の種類の用紙の各々の搬送速度を特定し、収容部に収容された用紙の種類を、第１および第２の種類のうち搬送速度が速い方の種類に設定する。
【００２３】
上記用紙種類判別装置において好ましくは、受け付けたジョブに従って画像を形成する画像形成手段をさらに備え、記憶装置は、用紙の種類と搬送速度との関係を記載した搬送速度判別テーブルと、坪量と用紙の種類との関係を記載した他の種類判別テーブルであって、坪量に対して用紙の種類が一意的に規定された他の種類判別テーブルとをさらに記憶し、ジョブのモードが特定のモードである場合に、要否判断手段は選択画面の表示が不要であると判断し、要否判断手段にて選択画面の表示が不要であると判断し、かつジョブのモードが第１のモードである場合に、設定手段は、測定手段にて測定した坪量に基づいて、搬送速度判別テーブルを用いて、収容部に収容された用紙の種類を設定し、要否判断手段にて選択画面の表示が不要であると判断し、かつジョブのモードが第１のモードとは異なる第２のモードである場合に、設定手段は、測定手段にて測定した坪量に基づいて、他の種類判別テーブルを用いて、収容部に収容された用紙の種類を設定する。
【００２４】
上記用紙種類判別装置において好ましくは、ユーザーから受け付けたジョブに従って画像を形成する画像形成手段と、ユーザーの位置の情報を取得する位置取得手段とをさらに備え、ユーザーの位置が画像形成装置の位置から所定の距離よりも離れている場合に、要否判断手段は選択画面の表示が不要であると判断する。
【００２５】
上記用紙種類判別装置において好ましくは、受け付けたジョブに従って画像を形成する画像形成手段をさらに備え、ジョブに所定の後処理が設定されている場合に、要否判断手段は選択画面の表示が不要であると判断し、設定手段は収容部に収容された用紙の種類を第１の種類に設定する。
【００２６】
上記用紙種類判別装置において好ましくは、設定手段にて用紙の種類を設定した後の所定の場合に、第１および第２の種類から用紙の種類を選択する操作を受け付ける画面である他の選択画面を表示し、他の選択画面を通じて選択を受け付ける他の選択画面表示手段と、他の選択画面を表示した場合、設定手段にて設定した用紙の種類を、他の選択画面表示手段にて選択を受け付けた種類に変更する第１の設定変更手段とをさらに備える。
【００２７】
上記用紙種類判別装置において好ましくは、設定手段にて用紙の種類を設定した後で画像形成手段にて形成した画像の品質を評価する評価手段をさらに備え、要否判断手段にて選択画面の表示が不要であると判断し、かつ評価手段にて評価した品質が所定の値よりも低い場合に、他の選択画面表示手段は他の選択画面を表示し、他の選択画面を通じて選択を受け付ける。
【００２８】
上記用紙種類判別装置において好ましくは、要否判断手段にて選択画面の表示が不要であると判断し、かつジャムの発生回数が所定の回数を超えた場合に、他の選択画面表示手段は他の選択画面を表示し、他の選択画面を通じて選択を受け付ける。
【００２９】
上記用紙種類判別装置において好ましくは、設定手段にて用紙の種類を設定した後で画像形成手段にて形成した画像の品質の評価値が所定の値よりも低く、かつ測定手段にて測定した坪量が選択範囲内の値であり、かつ設定手段にて設定した用紙の種類と、坪量と用紙の種類との関係を記載した他の種類判別テーブルであって、坪量に対して用紙の種類が一意的に規定された他の種類判別テーブルを用いて判別した用紙の種類とが互いに異なる場合に、設定手段にて設定した用紙の種類を、他の種類判別テーブルを用いて判別した種類に変更する第２の設定変更手段をさらに備える。
【００３０】
上記用紙種類判別装置において好ましくは、測定手段にて測定した坪量が選択範囲内の値であり、かつ設定手段にて用紙の種類を設定した後のジャムの発生回数が所定の回数を超えた場合に、設定手段にて設定した用紙の種類を、第１および第２の種類のうち搬送速度が遅い方の種類に変更する第３の設定変更手段をさらに備える。
【００３１】
本発明の他の局面に従う用紙種類判別装置の制御プログラムは、用紙を収容する収容部と、搬送経路に沿って収容部から用紙を搬送する搬送手段と、搬送経路に沿って搬送される用紙の坪量を測定する測定手段と、坪量と用紙の種類との関係を記載した種類判別テーブルを記憶する記憶装置とを備えた、用紙種類判別装置の制御プログラムであって、測定手段にて測定した坪量に基づいて、収容部に収容された用紙の種類を設定する設定ステップをコンピューターに実行させるためのものであり、種類判別テーブルには、用紙の種類が一意的に判別される坪量の範囲である一意的範囲と、坪量が相対的に大きい第１の種類と坪量が相対的に小さい第２の種類とのいずれかに用紙の種類が判別される坪量の範囲である選択範囲とが規定されており、測定手段にて測定した坪量が選択範囲内の値である場合、第１および第２の種類から用紙の種類を選択する操作を受け付ける画面である選択画面を表示し、選択画面を通じて選択を受け付ける選択画面表示ステップをさらにコンピューターに実行させるためのものであり、選択画面を表示した場合、設定ステップにおいて、収容部に収容された用紙の種類を、選択画面を通じて選択を受け付けた種類に設定する。
【発明の効果】
【００３２】
本発明によれば、印刷に要する時間の増大を抑止することのできる用紙種類判別装置および用紙種類判別装置の制御プログラムを提供することができる。
【図面の簡単な説明】
【００３３】
【図１】本発明の第１の実施の形態における画像形成装置１の外観の構成を示す正面図である。
【図２】本発明の第１の実施の形態における画像形成装置１の構成を模式的に示す断面図である。
【図３】本発明の第１の実施の形態における画像形成装置１の構成を示すブロック図である。
【図４】本発明の第１の実施の形態において、記憶装置１０６に記憶されている給紙トレイ情報テーブルを模式的に示す図である。
【図５】本発明の第１の実施の形態において操作パネル２２に表示される給紙トレイ情報の第１の設定画面を模式的に示す図である。
【図６】本発明の第１の実施の形態において操作パネル２２に表示される給紙トレイ情報の第２の設定画面を模式的に示す図である。
【図７】従来の用紙種類判別テーブルを模式的に示す図である。
【図８】本発明の第１の実施の形態において、記憶装置１０６に記憶されている用紙種類判別テーブルの一の例を模式的に示す図である。
【図９】本発明の第１の実施の形態において、坪量センサー２３にて測定した坪量が「８５ｇ／ｍ2〜９４ｇ／ｍ2」の選択範囲内の値である場合に操作パネル２２に表示される選択画面を模式的に示す図である。
【図１０】本発明の第１の実施の形態において、記憶装置１０６に記憶されている用紙種類判別テーブルの他の例を模式的に示す図である。
【図１１】本発明の第１の実施の形態において、選択画面にて選択された用紙の種類に設定した後に第２の設定画面を通じて用紙の種類の設定を受け付ける場合の、第２の設定画面を模式的に示す図である。
【図１２】本発明の第１の実施の形態における画像形成装置１の動作を示すフローチャートである。
【図１３】本発明の第２の実施の形態における画像形成装置１の動作を示すフローチャートである。
【図１４】本発明の第２の実施の形態の第１の例における選択要否判断処理（Ｓ２１）のサブルーチンである。
【図１５】本発明の第２の実施の形態において、記憶装置１０６に記憶されている搬送速度判別テーブルを模式的に示す図である。
【図１６】本発明の第２の実施の形態において、記憶装置１０６に記憶されている画質優先の用紙種類判別テーブルを模式的に示す図である。
【図１７】本発明の第２の実施の形態の第２の例における選択要否判断処理（Ｓ２１）のサブルーチンである。
【図１８】本発明の第２の実施の形態の第３の例における選択要否判断処理（Ｓ２１）のサブルーチンである。
【図１９】本発明の第２の実施の形態の第４の例における選択要否判断処理（Ｓ２１）のサブルーチンである。
【図２０】本発明の第３の実施の形態の第１の例において画像形成装置１が行う設定変更処理を示すフローチャートである。
【図２１】本発明の第３の実施の形態の第２の例において画像形成装置１が行う設定変更処理を示すフローチャートである。
【図２２】本発明の第３の実施の形態の第３の例において画像形成装置１が行う設定変更処理を示すフローチャートである。
【図２３】本発明の第３の実施の形態の第４の例において画像形成装置１が行う設定変更処理を示すフローチャートである。
【発明を実施するための形態】
【００３４】
以下、本発明の実施の形態について、図面に基づいて説明する。
【００３５】
以下の実施の形態では、用紙種類判別装置が画像形成装置に搭載される場合について説明する。画像形成装置としては、たとえばＭＦＰ、プリンター、複写機、またはファクシミリなどが挙げられる。また用紙種類判別装置は、用紙の収納装置や後処理装置などの画像形成装置以外のものに搭載されてもよい。
【００３６】
［第１の実施の形態］
【００３７】
（画像形成装置の構成）
【００３８】
図１は、本発明の第１の実施の形態における画像形成装置１の外観の構成を示す正面図である。図２は、本発明の第１の実施の形態における画像形成装置１の構成を模式的に示す断面図である。
【００３９】
図１および図２を参照して、本実施の形態における画像形成装置１（用紙種類判別装置の一例）は、用紙搬送部１０（搬送手段の一例）と、トナー像形成部２０（画像形成手段の一例）と、定着装置２１と、操作パネル２２（選択画面表示手段、設定画面表示手段、および他の選択画面表示手段の一例）と、坪量センサー２３（測定手段の一例）などを主に備えている。
【００４０】
用紙搬送部１０は、複数の給紙トレイ１１および手差しトレイ１２のいずれかから、搬送経路ＴＲに沿って用紙を搬送する。用紙搬送部１０は、複数の給紙トレイ１１（収容部の一例）と、手差しトレイ１２（収容部の一例）と、給紙ローラー１３および１４と、レジストローラー１５と、排紙ローラー１６と、排紙トレイ１７とを含んでいる。複数の給紙トレイ１１は、画像を形成するための用紙Ｍを積載して収容する。手差しトレイ１２は、手差し用用紙を収容する。給紙ローラー１３は、給紙トレイ１１と搬送経路ＴＲとの間に設けられており、給紙トレイ１１に収容された用紙を１枚ずつ給紙する。給紙ローラー１４は、手差しトレイ１２と搬送経路ＴＲとの間に設けられており、手差しトレイ１２に収容された用紙を１枚ずつ給紙する。レジストローラー１５は、トナー像形成部２０による転写位置ＳＴよりも搬送経路ＴＲの上流側に設けられている。排紙ローラー１６は、搬送経路ＴＲの最も下流の部分に設けられている。排紙トレイ１７は画像形成装置本体１ａの最上部に設けられている。
【００４１】
トナー像形成部２０は、画像形成装置１が受け付けたジョブに従って画像を用紙に形成する。トナー像形成部２０は、いわゆるタンデム方式でＹ（イエロー）、Ｍ（マゼンタ）、Ｃ（シアン）、およびＫ（ブラック）の４色の画像を合成し、転写位置ＳＴにおいて、搬送される用紙にトナー像を転写（形成）する。トナー像形成部２０は、中間転写ベルト２０ａを含んでいる。またトナー像形成部２０は、感光体ドラムと、帯電ローラーと、露光装置と、現像装置と、一次転写ローラーと、二次転写ローラーなどを含んでいる。
【００４２】
定着装置２１は、トナー像を担持した用紙を把持しながら搬送経路ＴＲに沿って搬送することで、搬送される用紙にトナー像を定着させる。
【００４３】
操作パネル２２は、画像形成装置１の動作に関する各種操作を受け付け、牡蠣酒情報を表示する。
【００４４】
坪量センサー２３は、レジストローラー１５よりも搬送経路ＴＲの上流側の検出位置において、搬送経路ＴＲに沿って搬送される用紙の坪量を測定する。
【００４５】
画像形成装置１は、給紙トレイ１１または手差しトレイ１２に収容された用紙を、給紙ローラー１３または１４により一枚ずつ搬送経路ＴＲに給紙する。画像形成装置１は、レジストローラー１５を用いて、用紙を一旦停止させた後、トナー像形成部２０による転写のタイミングに合わせて、転写位置ＳＴに用紙を搬送する。画像形成装置１は、レジストローラー１５で一旦停止された用紙の坪量を、坪量センサー２３で測定する。なお、画像形成装置１は、搬送中の用紙の坪量を測定してもよい。
【００４６】
一方、画像形成装置１は、周知の電子写真方式およびタンデム方式により、トナー像形成部２０によりトナー像形成部２０の中間転写ベルト２０ａ上にトナー像を生成し、中間転写ベルト２０ａの回転によりトナー像を転写位置ＳＴに向けて搬送する。転写位置ＳＴには、レジストローラー１５から用紙が送り込まれ、また、トナー像形成部２０からトナー像が搬送されてくる。画像形成装置１は、転写位置ＳＴにおいて、トナー像を中間転写ベルト２０ａから用紙に転写する。
【００４７】
画像形成装置１は、トナー像が形成された用紙を定着装置２１によって加熱および加圧する。これにより、用紙にトナー像が定着される。その後、画像形成装置１は、排紙ローラー１６によって用紙を排紙トレイ１７に排出する。
【００４８】
図３は、本発明の第１の実施の形態における画像形成装置１の構成を示すブロック図である。
【００４９】
図３を参照して、画像形成装置１は、システムコントローラー１０１と、メモリ１０３と、入力画像処理部１０４と、撮像部１０５と、記憶装置１０６（記憶装置の一例）と、出力画像処理部１０７と、プリンターエンジン１０８と、用紙種類設定部１０９（設定手段、変更手段、第１の設定変更手段、第２の設定変更手段、および第３の設定変更手段の一例）と、ネットワークインターフェイス１１０と、認証部１１１と、各種センサー１１２（変更検出手段の一例）と、位置情報取得部１１３（位置取得手段の一例）と、要否判別部１１４（要否判別手段の一例）と、評価部１１５（評価手段の一例）などをさらに備えている。
【００５０】
システムコントローラー１０１は、ＣＰＵ（Ｃｅｎｔｒａｌ  Ｐｒｏｃｅｓｓｉｎｇ  Ｕｎｉｔ）１０２を含んでおり、画像形成装置１全体を制御する。ＣＰＵ１０２は、制御プログラムに従って動作を行う。システムコントローラー１０１は、メモリ１０３、入力画像処理部１０４、撮像部１０５、記憶装置１０６、出力画像処理部１０７、プリンターエンジン１０８、用紙種類設定部１０９、ネットワークインターフェイス１１０、認証部１１１、各種センサー１１２、位置情報取得部１１３、要否判別部１１４、および評価部１１５の各々と接続されている。
【００５１】
メモリ１０３は、制御プログラムや固定値などを記憶するＲＯＭ（Ｒｅａｄ  Ｏｎｌｙ  Ｍｅｍｏｒｙ）と、画像などの各種データを一時的に記憶するＲＡＭ（Ｒａｎｄｏｍ  Ａｃｃｅｓｓ  Ｍｅｍｏｒｙ）とを含んでいる。
【００５２】
入力画像処理部１０４は、撮像部１０５で読み取った入力画像データを処理する。
【００５３】
撮像部１０５は、画像を読み取る。
【００５４】
記憶装置１０６は補助記憶装置であり、用紙種類判別テーブル、搬送速度判別テーブル、およびジャムの発生回数などの各種データを記憶する。
【００５５】
出力画像処理部１０７は、画像データを処理して印刷データを作成する。
【００５６】
プリンターエンジン１０８は、出力画像処理部１０７にて作成した印刷データを用紙に印刷する。
【００５７】
用紙種類設定部１０９は、坪量センサー２３にて測定した坪量に基づいて、給紙トレイ１１または手差しトレイ１２に収容された用紙の種類を設定する。また必要な場合に、設定した用紙の種類を変更する。
【００５８】
ネットワークインターフェイス１１０は、ネットワーク上の機器との間で通信を行う。
【００５９】
認証部１１１は、画像形成装置１を使用するユーザーを認証する。
【００６０】
各種センサー１１２は、複数の給紙トレイ１１の各々の開閉を検出する開閉検出センサー、手差しトレイ１２上の用紙を検出する用紙検出センサー、複数の給紙トレイ１１および手差しトレイ１２の各々に収容された用紙のサイズおよび方向を検出するサイズ検出センサー、複数の給紙トレイ１１および手差しトレイ１２の各々に収容された用紙の積載量を検出する積載量センサー、搬送される用紙の色を検出する色検出センサー、ならびに中間転写ベルト２０ａに形成されたトナー像の濃度を検出するＩＤＣ（Ｉｍａｇｅ  Ｄｅｎｓｉｔｙ  Ｃｏｎｔｒｏｌ）センサーなどを含んでいる。
【００６１】
位置情報取得部１１３は、ＧＰＳ（Ｇｌｏｂａｌ  Ｐｏｓｉｔｉｏｎｉｎｇ  Ｓｙｓｔｅｍ）システムや入室管理システムのサーバーから、画像形成装置１のユーザーの位置情報や入退出情報を取得する。
【００６２】
要否判別部１１４は、後述する選択画面の表示の要否を判別する。
【００６３】
評価部１１５は、トナー像形成部２０にて形成した画像の品質を評価する。
【００６４】
（給紙トレイ情報）
【００６５】
図４は、本発明の第１の実施の形態において、記憶装置１０６に記憶されている給紙トレイ情報テーブルを模式的に示す図である。
【００６６】
図４を参照して、給紙トレイ情報テーブルには、給紙トレイ１１および手差しトレイ１２に収容されている用紙について設定されている情報（以降、給紙トレイ情報と記すことがある）が記載されている。ここでは４つの給紙トレイ１１（トレイ１〜トレイ４）および手差しトレイ１２の各々に収容された用紙についての、サイズ、方向、種類、および判別動作設定の各々の項目の給紙トレイ情報が記載されている。
【００６７】
給紙トレイ情報の用紙の種類としては、後述する設定画面（図５および図６）を通じてユーザーから入力された内容が設定されてもよいし、坪量センサー２３による測定結果に基づいて決定した内容が設定されてもよい。
【００６８】
同様に、給紙トレイ情報の用紙のサイズおよび方向としては、後述する設定画面（図５および図６）を通じてユーザーから入力された内容が設定されてもよいし、各種センサー１１２の検出結果に基づいて決定した内容が設定されてもよい。
【００６９】
判別動作設定とは、坪量センサー２３にて測定した坪量に基づく用紙の種類の判別を行うタイミングに関する設定項目である。判別動作設定の欄には、判別を行わない設定である「しない」、用紙が搬送される度に判別を行う設定である「する」、および画像形成装置１が状況に基づいて必要であると判断したタイミングで判別を実行する設定である「自動」のいずれかが記載される。
【００７０】
一例として、「トレイ１」という給紙トレイ１１の給紙トレイ情報によれば、「トレイ１」という給紙トレイ１１には、「Ａ４」サイズの「普通紙」の用紙が「横」方向で収容されているという内容が設定されている。この給紙トレイ１１の用紙に対しては、画像形成装置１が状況に基づいて必要であると判断したタイミングで用紙の種類の判別が行われるように設定されている。
【００７１】
操作パネル２２などを通じてユーザーから印刷指示を受け付けた場合に、画像形成装置１は、給紙トレイ情報テーブルを参照し、印刷指示で指定された給紙トレイ１１または手差しトレイ１２に収容された用紙のサイズ、方向、および種類の情報を特定する。画像形成装置１は特定した用紙の情報に従って、搬送速度や定着温度などの印刷処理に関連する各種パラメーターを決定し、プリンターエンジン１０８で印刷を行う。
【００７２】
給紙トレイ情報は、給紙トレイ１１の開閉が行われたことを各種センサー１１２で検出した場合や、給紙トレイ１１や手差しトレイ１２に収容されている用紙の有無の状態が変わったことを各種センサー１１２で検出した場合などに、リセットされてもよい。
【００７３】
（設定画面を通じた給紙トレイ情報の設定方法）
【００７４】
図５および図６は、本発明の第１の実施の形態において操作パネル２２に表示される給紙トレイ情報の設定画面を模式的に示す図である。
【００７５】
図５を参照して、操作パネル２２を通じて所定の操作を受け付けた場合に、画像形成装置１は図５に示す第１の設定画面を操作パネル２２に表示する。第１の設定画面には、複数の給紙トレイ１１および手差しトレイ１２の各々に収容されている用紙について設定されている情報と、設定内容を変更するためのキーＫＹ１と、設定画面の表示を中止するためのキーＫＹ２、選択を確定するためのキーＫＹ３とが含まれている。
【００７６】
図６を参照して、第１の設定画面において複数の給紙トレイ１１および手差しトレイ１２のいずれか（ここでは「トレイ１」）が選択され、キーＫＹ３が押下された場合に、画像形成装置１は図６に示す第２の設定画面を操作パネル２２に表示する。第２の設定画面は、選択した給紙トレイ１１または手差しトレイ１２の給紙トレイ情報を設定する操作を受け付ける画面である。第２の設定画面には、用紙のサイズの選択を受け付けるコンボボックスであるキーＫＹ４と、用紙の方向の選択を受け付けるコンボボックススであるキーＫＹ５と、用紙の種類の選択を受け付けるコンボボックスであるキーＫＹ６と、判別動作設定の選択を受け付けるコンボボックスであるキーＫＹ７と、選択した内容をキャンセルして第１の設定画面に戻るためのキーＫＹ８と、選択した設定を確定するためのキーＫＹ９とが含まれている。
【００７７】
第２の設定画面において、キーＫＹ９が押下された場合に、画像形成装置１は、第２の設定画面を通じて受け付けた設定が反映されるように、給紙トレイ情報テーブルの給紙トレイ情報を更新する。
【００７８】
（坪量センサーの測定結果に基づく給紙トレイ情報の用紙の種類の設定方法）
【００７９】
以降の説明では、複数の給紙トレイ１１および手差しトレイ１２のうち任意の給紙トレイ１１の給紙トレイ情報の用紙の種類を設定する場合について説明する。
【００８０】
坪量センサー２３の測定結果に基づく給紙トレイ情報の用紙の種類の設定は任意のタイミングで行われればよい。坪量センサー２３の測定結果に基づく給紙トレイ情報の用紙の種類の設定の際、画像形成装置１は、搬送される用紙の坪量を坪量センサー２３で測定し、予め記憶装置１０６に保存されている用紙種類判別テーブル（種類判別テーブルの一例）を用いて、測定した坪量から用紙の種類を判別する。画像形成装置１は、給紙トレイ１１の給紙トレイ情報の用紙の種類を、判別した種類に設定する。
【００８１】
図７は、従来の用紙種類判別テーブルを模式的に示す図である。
【００８２】
図７を参照して、用紙種類判別テーブルは、坪量と用紙の種類との関係が記載されたテーブルである。従来の用紙種類判別テーブルには、坪量に基づいて用紙の種類が一意的に判別されるように、１つの坪量の範囲に対して１つの用紙の種類が関連付けられている。
【００８３】
具体的には、測定した坪量が「５２ｇ／ｍ2〜５９ｇ／ｍ2」の範囲である場合には、用紙の種類が「薄紙」であると一意的に判別される。測定した坪量が「６０ｇ／ｍ2〜９０ｇ／ｍ2」の範囲である場合には、用紙の種類が「普通紙」であると一意的に判別される。測定した坪量が「９１ｇ／ｍ2〜１２０ｇ／ｍ2」の範囲である場合には、用紙の種類が「厚紙１」であると一意的に判別される。測定した坪量が「１２１ｇ／ｍ2〜１５７ｇ／ｍ2」の範囲である場合には、用紙の種類が「厚紙１＋」であると一意的に判別される。
【００８４】
図７に示す従来の用紙種類判別テーブルでは、坪量の範囲内の用紙を搬送した場合に、要求される画像の品質に関わらず、画像の品質に問題が生じないような搬送速度となる用紙の種類が関連付けられている。
【００８５】
一例として、従来の用紙種類判別テーブルを用いた場合、測定した坪量が「９２ｇ／ｍ2」であれば、普通紙の坪量の範囲（「６０ｇ／ｍ2〜９０ｇ／ｍ2」）と近いにもかかわらず、用紙の種類が厚紙であると判別される。しかし、印刷品質よりも印刷速度を優先するユーザーにとっては、搬送速度が遅い「厚紙」と判別されるよりも、搬送速度が速い「普通紙」と判別される方が好ましい。
【００８６】
図８は、本発明の第１の実施の形態において、記憶装置１０６に記憶されている用紙種類判別テーブルの一の例を模式的に示す図である。
【００８７】
図８を参照して、本実施の形態の用紙種類判別テーブルには、用紙の種類が一意的に判別される坪量の範囲である一意的範囲と、坪量が相対的に大きい第１の種類と坪量が相対的に小さい第２の種類とのいずれかであると判別される坪量の範囲である選択範囲とが規定されている。選択範囲には２つの用紙の種類が関連付けられている。
【００８８】
具体的には、一意的範囲は、「５２ｇ／ｍ2〜５４ｇ／ｍ2」の範囲、「６５ｇ／ｍ2〜８４ｇ／ｍ2」の範囲、「９５ｇ／ｍ2〜１１４ｇ／ｍ2」の範囲、および「１２５ｇ／ｍ2〜１５７ｇ／ｍ2」の範囲である。測定した坪量が「５２ｇ／ｍ2〜５４ｇ／ｍ2」の範囲である場合には、用紙の種類が「薄紙」であると一意的に判別される。測定した坪量が「６５ｇ／ｍ2〜８４ｇ／ｍ2」の範囲である場合には、用紙の種類が「普通紙」であると一意的に判別される。測定した坪量が「９５ｇ／ｍ2〜１１４ｇ／ｍ2」の範囲である場合には、用紙の種類が「厚紙１」であると一意的に判別される。測定した坪量が「１２５ｇ／ｍ2〜１５７ｇ／ｍ2」の範囲である場合には、用紙の種類が「厚紙１＋」であると一意的に判別される。
【００８９】
選択範囲は、「５５ｇ／ｍ2〜６４ｇ／ｍ2」の範囲、「８５ｇ／ｍ2〜９４ｇ／ｍ2」の範囲、および「１１５ｇ／ｍ2〜１２４ｇ／ｍ2」の範囲である。「５５ｇ／ｍ2〜６４ｇ／ｍ2」の範囲は、薄紙であると一意的に判別される「５２ｇ／ｍ2〜５４ｇ／ｍ2」の範囲と、普通紙であると一意的に判別される「６５ｇ／ｍ2〜８４ｇ／ｍ2」の範囲との間の範囲である。このため、測定した坪量が「５５ｇ／ｍ2〜６４ｇ／ｍ2」の範囲である場合には、用紙の種類が「薄紙または普通紙」であると判別される。「８５ｇ／ｍ2〜９４ｇ／ｍ2」の範囲は、普通紙であると一意的に判別される「６５ｇ／ｍ2〜８４ｇ／ｍ2」の範囲と、厚紙１であると一意的に判別される「９５ｇ／ｍ2〜１１４ｇ／ｍ2」の範囲との間の範囲である。このため、測定した坪量が「８５ｇ／ｍ2〜９４ｇ／ｍ2」の範囲である場合には、用紙の種類が「普通紙または厚紙１」であると判別される。「１１５ｇ／ｍ2〜１２４ｇ／ｍ2」の範囲は、厚紙１であると一意的に判別される「９５ｇ／ｍ2〜１１４ｇ／ｍ2」の範囲と、厚紙１＋であると一意的に判別される「１２５ｇ／ｍ2〜１５７ｇ／ｍ2」の範囲との間の範囲である。このため、測定した坪量が「１１５ｇ／ｍ2〜１２４ｇ／ｍ2」の範囲である場合には、用紙の種類が「厚紙１または厚紙１＋」であると判別される。
【００９０】
画像形成装置１は、坪量センサー２３にて測定した坪量が一意的範囲内の値である場合、用紙種類設定部１０９を用いて、対象となる給紙トレイ１１の給紙トレイ情報の用紙の種類を、その一意的範囲に関連付けられた用紙の種類に設定する。
【００９１】
画像形成装置１は、坪量センサー２３にて測定した坪量が選択範囲内の値である場合、操作パネル２２を用いて選択画面を表示し、この選択画面を通じて用紙の種類の選択を受け付ける。選択画面は、その選択範囲に隣接する坪量の範囲を有する２つの一意的範囲の各々に対応する種類から用紙の種類を選択する操作を受け付ける画面である。画像形成装置１は選択画面を表示した場合、用紙種類設定部１０９を用いて、対象となる給紙トレイ１１の給紙トレイ情報の用紙の種類を、選択画面を通じて受け付けた種類に設定する。
【００９２】
図９は、本発明の第１の実施の形態において、坪量センサー２３にて測定した坪量が「８５ｇ／ｍ2〜９４ｇ／ｍ2」の選択範囲内の値である場合に操作パネル２２に表示される選択画面を模式的に示す図である。
【００９３】
図９を参照して、一例として、坪量センサー２３にて測定した坪量が「８５ｇ／ｍ2〜９４ｇ／ｍ2」の選択範囲（用紙の種類が「普通紙または厚紙１」であると判別される選択範囲）である場合には、印刷中に表示される操作画面に、ポップアップＰＰ１が表示される。ポップアップＰＰ１には、「普通紙」の選択を受け付けるキーＫＹ１０と、「厚紙１」の選択を受け付けるキーＫＹ１１とが含まれている。
【００９４】
図１０は、本発明の第１の実施の形態において、記憶装置１０６に記憶されている用紙種類判別テーブルの他の例を模式的に示す図である。なお図１０においては、説明の便宜のため、用紙の種類に対応する搬送速度が併せて示されている。
【００９５】
図１０を参照して、選択範囲に隣接する坪量の範囲を有する２つの一意的範囲の各々に対応する用紙の種類で設定される搬送速度が同じである場合には、いずれの用紙の種類が設定されたとしても搬送速度を速めることはできない。このため、２つの一意的範囲の各々に対応する用紙の種類で設定される搬送速度が互いに異なる場合に限り、その２つの一意的範囲の間に選択範囲が設けられてもよい。
【００９６】
具体的には、この用紙種類判別テーブルでは、薄紙であると一意的に判別され「３０枚／分」という搬送速度が設定される「５２ｇ／ｍ2〜５４ｇ／ｍ2」の範囲と、普通紙であると一意的に判別され「３６枚／分」という搬送速度が設定される「６５ｇ／ｍ2〜８４ｇ／ｍ2」の範囲との間に、「薄紙および普通紙」の中から用紙の種類の選択を受け付ける選択範囲が設定されている。また、普通紙であると一意的に判別され「３６枚／分」という搬送速度が設定される「６５ｇ／ｍ2〜８４ｇ／ｍ2」の範囲と、厚紙１であると一意的に判別され「３０枚／分」という搬送速度が設定される「９５ｇ／ｍ2〜１２０ｇ／ｍ2」の範囲との間に、「普通紙および厚紙１」の中から用紙の種類の選択を受け付ける選択範囲が設定されている。一方、厚紙１で設定される搬送速度と厚紙１＋で設定される搬送速度とは、いずれも「３０枚／分」である。このため、厚紙１であると一意的に判別され「３０枚／分」という搬送速度が設定される「９５ｇ／ｍ2〜１２０ｇ／ｍ2」の範囲と、厚紙１＋であると一意的に判別され「３０枚／分」という搬送速度が設定される「１２１ｇ／ｍ2〜１５７ｇ／ｍ2」の範囲との間に選択範囲は設けられていない。
【００９７】
（選択画面を通じて選択された用紙の種類に設定した後に第２の設定画面を通じて用紙の種類の設定を受け付ける場合の動作）
【００９８】
図１１は、本発明の第１の実施の形態において、選択画面を通じて選択された用紙の種類に設定した後に第２の設定画面を通じて用紙の種類の設定を受け付ける場合の、第２の設定画面を模式的に示す図である。
【００９９】
図１１を参照して、対象となる給紙トレイ１１の給紙トレイ情報の用紙の種類を、選択画面にて選択された用紙の種類に設定した後に、第２の設定画面（設定画面の一例）を操作パネル２２に表示する場合、画像形成装置１は、選択画面において選択肢となった２つの一意的範囲の各々に対応する種類の中から用紙の種類を設定する操作を受け付ける第２の設定画面を表示してもよい。
【０１００】
ここでは、「普通紙」および「厚紙１」の選択肢を選択画面に表示し、対象となる給紙トレイ１１の給紙トレイ情報の用紙の種類を、選択画面にて選択された用紙の種類に設定した場合を想定する。この場合に設定後に表示される第２の設定画面では、普通紙および厚紙１に選択肢が限定されている。すなわち、第２の設定画面には、用紙の種類の選択を受け付けるコンボボックスＫＹ６（図６）の代わりに、「普通紙」の選択を受け付けるキーＫＹ１２と、「厚紙１」の選択を受け付けるキーＫＹ１３とが含まれている。
【０１０１】
この場合、画像形成装置１は、用紙種類設定部１０９を用いて、対象となる給紙トレイ１１の給紙トレイ情報の用紙の種類の設定を、図１１に示す第２の設定画面にて設定を受け付けた種類に変更する。
【０１０２】
また、坪量センサー２３にて測定した坪量が一意的範囲内の値であった場合、画像形成装置１は、対象となる給紙トレイ１１について、給紙トレイ情報の用紙の種類の設定が完了した後で、設定画面を通じて用紙の種類を設定する操作を受け付けなくてもよい。
【０１０３】
（フローチャート）
【０１０４】
図１２は、本発明の第１の実施の形態における画像形成装置１の動作を示すフローチャートである。
【０１０５】
図１２を参照して、ＣＰＵ１０２は、任意のタイミングで坪量センサー２３の測定位置を通過する用紙の坪量を、坪量センサー２３にて測定する（Ｓ１）。次にＣＰＵ１０２は、用紙種類判別テーブルを用いて、坪量センサー２３にて測定した坪量が一意的範囲内の値であるか否かを判別する（Ｓ３）。
【０１０６】
ステップＳ３において、坪量センサー２３にて測定した坪量が一意的範囲内の値であると判別した場合（Ｓ３でＹＥＳ）、ＣＰＵ１０２は、用紙を給紙した給紙トレイ１１の給紙トレイ情報の用紙の種類を、測定した坪量から判別した用紙の種類に設定し（Ｓ５）、ステップＳ７の処理へ進む。
【０１０７】
ステップＳ３において、坪量センサー２３にて測定した坪量が一意的範囲内の値でないと判別した場合（Ｓ３でＮＯ）、ＣＰＵ１０２は選択画面を表示する（Ｓ１１）。ＣＰＵ１０２は、用紙を給紙した給紙トレイ１１の給紙トレイ情報の用紙の種類を、選択画面を通じて選択された種類に設定し（Ｓ１３）、ステップＳ７の処理へ進む。
【０１０８】
ステップＳ７において、ＣＰＵ１０２は、設定した用紙の種類に応じて搬送速度などの各種パラメーターを設定し（Ｓ７）、印刷を行い（Ｓ９）、処理を終了する。
【０１０９】
本実施の形態によれば、用紙種類判別テーブルの坪量の範囲として選択範囲が設けられ、坪量センサー２３にて測定した坪量が選択範囲内の値である場合、選択画面から用紙の種類の選択を受け付ける。これにより、高画質の印刷を必要としないユーザーは、搬送速度の速い用紙の種類を選択することによって、印刷に要する時間の増大を抑止することができる。
【０１１０】
［第２の実施の形態］
【０１１１】
坪量センサー２３にて測定した坪量が選択範囲内の値である場合、選択画面から用紙の種類の選択を常に行うことは、ユーザーにとって煩わしいことがある。そこで本実施の形態では、要否判別部１１４によって選択要否判断処理で選択画面の表示の要否を判別し、坪量センサー２３にて測定した坪量が選択範囲内の値である場合において、選択画面の表示が不要であると判別したときは、選択画面を表示しない例について説明する。
【０１１２】
（フローチャート）
【０１１３】
図１３は、本発明の第２の実施の形態における画像形成装置１の動作を示すフローチャートである。
【０１１４】
図１３を参照して、図１２のフローチャートのステップＳ３において、測定した坪量から用紙の種類を一意的に判別可能でないと判別した場合（Ｓ３でＮＯ）、ＣＰＵ１０２は後述する選択要否判断処理を行い（Ｓ２１）、選択画面の表示が必要であるか否かを判別する（Ｓ２３）。
【０１１５】
ステップＳ２３において、選択画面の表示が必要であると判別した場合（Ｓ２３でＹＥＳ）、ＣＰＵ１０２は、図１２のフローチャートのステップＳ１１以降の処理を行う。
【０１１６】
ステップＳ２３において、選択画面の表示が必要でないと判別した場合（Ｓ２３でＮＯ）、ＣＰＵ１０２は選択画面を表示せず、用紙を給紙した給紙トレイ１１の給紙トレイ情報の用紙の種類を、他の条件で決定した用紙の種類に設定し（Ｓ２５）、図１２のフローチャートのステップＳ７以降の処理を行う。
【０１１７】
（選択要否判断処理の第１の例）
【０１１８】
選択要否判断処理の第１の例として、給紙トレイ１１の給紙トレイ情報の用紙の種類が設定されている状態で、その給紙トレイ１１に収容された用紙の種類の変更を各種センサー１１２にて検出していない場合、選択画面の表示が不要であると判断されてもよい。
【０１１９】
また、選択画面の表示が不要であると判断された場合、給紙トレイ１１の給紙トレイ情報の用紙の種類の設定は変更されなくてもよい。
【０１２０】
給紙トレイ１１に収容された用紙の変更を検出した場合とは、給紙トレイ１１の開閉を各種センサー１１２で検出し、その後に種類以外の用紙の属性（用紙のサイズ、用紙の色、または給紙トレイ１１の用紙の積載量など）の変更を各種センサー１１２にて検出した場合である。
【０１２１】
給紙トレイ１１に収容された用紙の変更を検出した場合とは、給紙トレイ１１に収容された用紙の積載量の変更を各種センサー１１２にて検出した場合であってもよい。
【０１２２】
給紙トレイ１１に収容された用紙の変更を検出した場合とは、給紙トレイ１１に収容された用紙のサイズの変更を各種センサー１１２にて検出した場合であってもよい。
【０１２３】
給紙トレイ１１に収容された用紙の変更を検出した場合とは、給紙トレイ１１から搬送された用紙の色の変更を各種センサー１１２にて検出した場合であってもよい。
【０１２４】
図１４は、本発明の第２の実施の形態の第１の例における選択要否判断処理（Ｓ２１）のサブルーチンである。
【０１２５】
図１４を参照して、選択要否判断処理（Ｓ２１）において、ＣＰＵ１０２は、各種センサー１１２の検出結果に基づいて、給紙トレイ１１の用紙が変更されたか否かを判別する（Ｓ３１）。
【０１２６】
ステップＳ３１において、給紙トレイ１１の用紙が変更されたと判別した場合（Ｓ３１でＹＥＳ）、ＣＰＵ１０２は選択画面の表示が必要であると判断し（Ｓ３３）、リターンする。
【０１２７】
ステップＳ３１において、給紙トレイ１１の用紙が変更されないと判別した場合（Ｓ３１でＮＯ）、ＣＰＵ１０２は選択画面の表示が不要であると判断し（Ｓ３５）、リターンする。
【０１２８】
（選択要否判断処理の第２の例）
【０１２９】
選択要否判断処理の第２の例として、画像形成装置１が受け付けたジョブの種類が特定の種類である場合（特に画像形成装置１の管理のための印刷ジョブである場合）、選択画面の表示が不要であると判断されてもよい。選択画面の表示が不要であると判断した場合、以下の（１）〜（４）の項目で説明する方法で、対象となる給紙トレイ１１に収容された用紙の種類が設定されてもよい。
【０１３０】
（１）  画像形成装置１の管理のための印刷ジョブ（特定の種類のジョブの一例）を画像形成装置１が実行する場合、用紙に形成する画像（画像形成装置１の設定値や状態などの、画像形成装置１を管理するための情報を含む画像）に必要な品質は、読み取ることが可能な程度の低いレベルである。
【０１３１】
このため、画像形成装置１が受け付けたジョブの種類が画像形成装置１の管理のための印刷ジョブなどである場合、選択画面の表示が不要であると判断し、選択画面を表示しないようにしてもよい。これにより、画像形成装置１のサービスマンや管理者の作業時間を短縮することができ、サービスコストや管理コストを削減することができる。ジョブの種類は、画像形成装置１の状態がセットアップ時の状態であるか否か、または印刷する画像に画像形成装置１のメンテナンス時のレポートが含まれるか否かなどで判断されてもよい。
【０１３２】
選択画面の表示が不要であると判断された場合、坪量センサー２３にて測定した坪量が含まれる選択範囲に関連付けられた２つの用紙の種類を特定し、図１５に示す搬送速度判別テーブル（搬送速度判別テーブルの一例）に基づいて２つの種類の用紙の各々の搬送速度を判別し、対象となる給紙トレイ１１の給紙トレイ情報の用紙の種類が２つの種類のうち搬送速度が速い方の種類に設定されてもよい。
【０１３３】
図１５は、本発明の第２の実施の形態において、記憶装置１０６に記憶されている搬送速度判別テーブルを模式的に示す図である。
【０１３４】
図１５を参照して、搬送速度判別テーブルは、用紙の種類と搬送速度との関係が記載されたテーブルである。この搬送速度判別テーブルによれば、薄紙の搬送速度は「３０枚／分」であり、普通紙の搬送速度は「３６枚／分」であり、厚紙１の搬送速度は「３０枚／分」であり、厚紙１＋の搬送速度は「３０枚／分」であることが分かる。
【０１３５】
一例として、坪量センサー２３にて測定した坪量が含まれる選択範囲に「薄紙および普通紙」が関連付けられていた場合には、搬送速度判別テーブルに基づいて薄紙の搬送速度（３０枚／分）および普通紙の搬送速度（３６枚／分）が判別され、対象となる給紙トレイ１１の給紙トレイ情報の用紙の種類が、搬送速度の速い方の種類である普通紙に設定される。
【０１３６】
（２）  ジョブのモードがモノクロモードである場合、用紙に形成する画像には高い品質が要求されないため、用紙の搬送速度を速くすることが可能である。一方、ジョブのモードがカラーモードである場合、用紙に形成する画像には高い品質が要求される。
【０１３７】
このため、ジョブのモードが第１のモード（ここではモノクロモード）であるときは、選択画面の表示が不要であると判断し、坪量センサー２３にて測定した坪量に基づいて、図１５に示す搬送速度判別テーブルを用いて、対象となる給紙トレイ１１に収容された用紙の種類が設定されてもよい。また、ジョブのモードが第２のモード（ここではカラーモード）であるときは、選択画面の表示が不要であると判断し、坪量センサー２３にて測定した坪量に基づいて、図１６に示す画質優先の用紙種類判別テーブル（他の種類判別テーブルの一例）を用いて、対象となる給紙トレイ１１の給紙トレイ情報の用紙の種類が設定されてもよい。
【０１３８】
図１６は、本発明の第２の実施の形態において、記憶装置１０６に記憶されている画質優先の用紙種類判別テーブルを模式的に示す図である。
【０１３９】
図１６を参照して、画質優先の用紙種類判別テーブルには、坪量に基づいて用紙の種類が一意的に判別されるように、１つの坪量の範囲に対して１つの用紙の種類が関連付けられている。
【０１４０】
具体的には、測定した坪量が「５２ｇ／ｍ2〜５９ｇ／ｍ2」の範囲である場合には、用紙の種類が「薄紙」であると一意的に判別される。測定した坪量が「６０ｇ／ｍ2〜９０ｇ／ｍ2」の範囲である場合には、用紙の種類が「普通紙」であると一意的に判別される。測定した坪量が「９１ｇ／ｍ2〜１２０ｇ／ｍ2」の範囲である場合には、用紙の種類が「厚紙１」であると一意的に判別される。測定した坪量が「１２１ｇ／ｍ2〜１５７ｇ／ｍ2」の範囲である場合には、用紙の種類が「厚紙１＋」であると一意的に判別される。
【０１４１】
画質優先の用紙種類判別テーブルでは、坪量の範囲内の用紙を搬送した場合に、要求される画像の品質に関わらず、画像の品質に問題が生じないような搬送速度となる用紙の種類が関連付けられている。
【０１４２】
（３）  ジョブのモードが低解像度での印刷モードである場合、用紙に形成する画像には高い品質が要求されないため、用紙の搬送速度を速くすることが可能である。一方、ジョブのモードが高解像度での印刷モードである場合、用紙に形成する画像には高い品質が要求される。
【０１４３】
このため、ジョブのモードが第１のモード（ここでは低解像度での印刷モード）であるときは、選択画面の表示が不要であると判断し、坪量センサー２３にて測定した坪量に基づいて、図１５に示す搬送速度判別テーブルを用いて、対象となる給紙トレイ１１に収容された用紙の種類が設定されてもよい。また、選択画面の表示が不要であると判断した場合において、ジョブのモードが第２のモード（ここでは高解像度での印刷モード）であるときは、選択画面の表示が不要であると判断し、坪量センサー２３にて測定した坪量に基づいて、図１６に示す画質優先の用紙種類判別テーブルを用いて、対象となる給紙トレイ１１に収容された用紙の種類が設定されてもよい。
【０１４４】
（４）  ジョブのモードが、文字またはコピー写真の原稿画質での印刷モードである場合、用紙に形成する画像には高い品質が要求されないため、用紙の搬送速度を速くすることが可能である。一方、ジョブのモードが写真または地図の原稿画質での印刷モードである場合、用紙に形成する画像には高い品質が要求される。
【０１４５】
このため、ジョブのモードが第１のモード（ここでは文字またはコピー写真の原稿画質での印刷モード）であるときは、選択画面の表示が不要であると判断し、坪量センサー２３にて測定した坪量に基づいて、図１５に示す搬送速度判別テーブルを用いて、対象となる給紙トレイ１１に収容された用紙の種類が設定されてもよい。また、ジョブのモードが第２のモード（ここでは写真または地図の原稿画質での印刷モード）であるときは、選択画面の表示が不要であると判断し、坪量センサー２３にて測定した坪量に基づいて、図１６に示す画質優先の用紙種類判別テーブルを用いて、対象となる給紙トレイ１１に収容された用紙の種類が設定されてもよい。
【０１４６】
図１７は、本発明の第２の実施の形態の第２の例における選択要否判断処理（Ｓ２１）のサブルーチンである。
【０１４７】
図１７を参照して、選択要否判断処理（Ｓ２１）において、ＣＰＵ１０２は、画像形成装置１が受け付けたジョブが所定の種類のジョブであるか否かを判別する（Ｓ４１）。
【０１４８】
ステップＳ４１において、画像形成装置１が受け付けたジョブが所定の種類のジョブであると判別した場合（Ｓ４１でＹＥＳ）、ＣＰＵ１０２は、選択画面の表示が不要であると判断し（Ｓ４３）、搬送速度判別テーブルまたは画質優先の用紙種類判別テーブルを用いて給紙トレイ１１の給紙トレイ情報の用紙の種類を設定し（Ｓ４５）、リターンする。
【０１４９】
ステップＳ４１において、画像形成装置１が受け付けたジョブが所定の種類のジョブでないと判別した場合（Ｓ４１でＮＯ）、ＣＰＵ１０２は、選択画面の表示が必要であると判断し（Ｓ４７）、リターンする。
【０１５０】
（選択要否判断処理の第３の例）
【０１５１】
ユーザーが画像形成装置１から離れた場所にいる場合には、ユーザーが選択画面を操作することはできないため、選択画面を表示したまま印刷が停止する事態が生じる。このような事態を回避するために、選択要否判断処理の第３の例として、ユーザーの位置が画像形成装置１の位置から所定の距離よりも離れている場合に、選択画面の表示が不要であると判断されてもよい。ユーザーの位置は、位置情報取得部１１３にて取得したユーザーの位置情報や入退出情報に基づいて特定されてもよい。
【０１５２】
図１８は、本発明の第２の実施の形態の第３の例における選択要否判断処理（Ｓ２１）のサブルーチンである。
【０１５３】
図１８を参照して、選択要否判断処理（Ｓ２１）において、ＣＰＵ１０２は、ユーザーの位置情報または入退室情報を位置情報取得部１１３にて取得し（Ｓ５１）、ユーザーが画像形成装置１の近傍に居るか否かを判別する（Ｓ５３）。
【０１５４】
ステップＳ５３において、ユーザーが画像形成装置１の近傍に居ると判別した場合（Ｓ５３でＹＥＳ）、ＣＰＵ１０２は、選択画面の表示が必要であると判別し（Ｓ５５）、リターンする。
【０１５５】
ステップＳ５３において、ユーザーが画像形成装置１の近傍に居ないと判別した場合（Ｓ５３でＮＯ）、ＣＰＵ１０２は、選択画面の表示が不要であると判別し（Ｓ５７）、リターンする。
【０１５６】
（選択要否判断処理の第４の例）
【０１５７】
ステープルなどの後処理を行う場合には、ステープル可能な枚数、パンチの可否、折りの枚数などの後処理の設定の可否は、用紙の坪量によって決まる。実際の坪量が大きい種類の用紙を坪量が小さい種類の用紙と見なして後処理を行った場合、後処理装置で処理可能な厚さよりも用紙の厚さが厚くなり、後処理装置が故障するおそれがある。
【０１５８】
このため、選択要否判断処理の第４の例として、ジョブに所定の後処理が設定されている場合に、選択画面の表示が不要であると判断され、給紙トレイに収容された用紙の種類が、坪量センサー２３にて測定した坪量が含まれる選択範囲に関連付けられた２つの用紙の種類のうち坪量が大きい方の種類（第１の種類）に設定されてもよい。
【０１５９】
図１９は、本発明の第２の実施の形態の第４の例における選択要否判断処理（Ｓ２１）のサブルーチンである。
【０１６０】
図１９を参照して、選択要否判断処理（Ｓ２１）において、ＣＰＵ１０２は、ジョブに後処理の設定が付加されているか否かを判別する（Ｓ６１）。
【０１６１】
ステップＳ６１において、ジョブに後処理の設定が付加されていると判別した場合（Ｓ６１でＹＥＳ）、ＣＰＵ１０２は、選択画面の表示が不要であると判別する（Ｓ６３）。次にＣＰＵ１０２は、給紙トレイ１１の給紙トレイ情報の用紙の種類を、坪量センサー２３にて測定した坪量が含まれる選択範囲に関連付けられた２つの用紙の種類のうち坪量が大きい方の種類に設定し（Ｓ６５）、リターンする。
【０１６２】
ステップＳ６１において、ジョブに後処理の設定が付加されていないと判別した場合（Ｓ６１でＮＯ）、ＣＰＵ１０２は、選択画面の表示が必要であると判別し（Ｓ６７）、リターンする。
【０１６３】
なお、本実施の形態における画像形成装置の構成および上述以外の動作は、第１の実施の形態の場合と同様であるため、その説明は繰り返さない。
【０１６４】
［第３の実施の形態］
【０１６５】
第１および第２の実施の形態で説明した方法で、給紙トレイ１１の給紙トレイ情報の用紙の種類を設定した場合において、設定後に用紙の種類が適切でないことが判明するときある。そこで本実施の形態では、所定の場合に設定変更処理を行い、給紙トレイ１１の給紙トレイ情報の用紙の種類を変更する例について説明する。
【０１６６】
（設定変更処理の第１の例）
【０１６７】
設定変更処理の第１の例として、選択画面の表示が不要であると判断し、かつ評価した画像の品質が所定の値よりも低い場合に、変更用の選択画面が表示され、用紙種類設定部１０９を用いて、給紙トレイ１１の給紙トレイ情報の用紙の種類が、変更用の選択画面を通じて選択を受け付けた種類に変更されてもよい。変更要の選択画面は、第１および第２の種類から用紙の種類を選択する操作を受け付ける画面であればよく、図９に示す選択画面と同じものであってもよい。
【０１６８】
図２０は、本発明の第３の実施の形態の第１の例において画像形成装置１が行う設定変更処理を示すフローチャートである。
【０１６９】
図２０を参照して、給紙トレイ１１の給紙トレイ情報の用紙の種類を設定した後で、ＣＰＵ１０２は、給紙トレイ１１の給紙トレイ情報の用紙の種類を設定した際の選択要否判断処理（Ｓ２１）において、選択画面の表示が不要であると判断したか否かを判別する（Ｓ７１）。
【０１７０】
ステップＳ７１において、選択画面の表示が不要であると判断したと判別した場合（Ｓ７１でＹＥＳ）、ＣＰＵ１０２は、各種センサー１１２（ＩＤＣセンサー）にて中間転写ベルト２０ａに形成されたトナー像の濃度を検出し、検出結果に基づいて画像の品質を評価する（Ｓ７３）。続いてＣＰＵ１０２は、画像の品質が所定の値以下であるか否かを判別する（Ｓ７５）。
【０１７１】
ステップＳ７１において、選択画面の表示が必要であると判断したと判別した場合（Ｓ７１でＮＯ）、またはステップＳ７５において、画像の品質が所定の値以下でないと判別した場合（Ｓ７５でＮＯ）、ＣＰＵ１０２は処理を終了する。
【０１７２】
ステップＳ７５において、画像の品質が所定の値以下であると判別した場合（Ｓ７５でＹＥＳ）、ＣＰＵ１０２は、坪量センサー２３にて測定した坪量が含まれる選択範囲に関連付けられた２つの用紙の種類を選択肢とする変更用の選択画面を表示する（Ｓ７７）。ＣＰＵ１０２は、給紙トレイ１１の給紙トレイ情報の用紙の種類を、選択された用紙の種類に変更し（Ｓ７９）、処理を終了する。
【０１７３】
（設定変更処理の第２の例）
【０１７４】
設定変更処理の第２の例として、選択画面の表示が不要であると判断し、かつジャムの発生回数が所定の回数を超えた場合に、変更用の選択画面が表示され、用紙種類設定部１０９を用いて、給紙トレイ１１の給紙トレイ情報の用紙の種類が、変更用の選択画面を通じて選択を受け付けた種類に変更されてもよい。
【０１７５】
ここで、カウントされるジャムの発生回数は、用紙の搬送または印刷に関するジャムだけであってもよいし、選択画面を表示せずに用紙の種類が設定された給紙トレイ１１から搬送された用紙に起因するジャムだけであってもよい。
【０１７６】
図２１は、本発明の第３の実施の形態の第２の例において画像形成装置１が行う設定変更処理を示すフローチャートである。
【０１７７】
図２１を参照して、給紙トレイ１１の給紙トレイ情報の用紙の種類を設定した後で、ＣＰＵ１０２は、給紙トレイ１１の給紙トレイ情報の用紙の種類を設定した際の選択要否判断処理（Ｓ２１）において、選択画面の表示が不要であると判断したか否かを判別する（Ｓ８１）。
【０１７８】
ステップＳ８１において、選択画面の表示が不要であると判断したと判別した場合（Ｓ８１でＹＥＳ）、ＣＰＵ１０２は、記憶装置１０６からジャムの発生回数を読み出し（Ｓ８３）、読み出したジャムの発生回数が所定の値を超えたか否かを判別する（Ｓ８５）。
【０１７９】
ステップＳ８１において、選択画面の表示が必要であると判断したと判別した場合（Ｓ８１でＮＯ）、またはステップＳ８５において、読み出したジャムの発生回数が所定の値を超えていないと判別した場合（Ｓ８５でＮＯ）、ＣＰＵ１０２は処理を終了する。
【０１８０】
ステップＳ８５において、読み出したジャムの発生回数が所定の値を超えたと判別した場合（Ｓ８５でＹＥＳ）、ＣＰＵ１０２は、坪量センサー２３にて測定した坪量が含まれる選択範囲に関連付けられた２つの用紙の種類を選択肢とする変更用の選択画面を表示する（Ｓ８７）。ＣＰＵ１０２は、給紙トレイ１１の給紙トレイ情報の用紙の種類を、選択された用紙の種類に変更し（Ｓ８９）、処理を終了する。
【０１８１】
（設定変更処理の第３の例）
【０１８２】
設定変更処理の第３の例として、用紙の種類を設定した後で、評価部１１５によって評価した画像の品質が所定の値よりも低く、かつ坪量センサー２３にて測定した坪量が選択範囲内の値であり、かつ設定した用紙の種類と、画質優先の種類判別テーブルを用いて判別した用紙の種類とが互いに異なる場合に、用紙種類設定部１０９を用いて、給紙トレイ１１の給紙トレイ情報の用紙の種類が、画質優先の種類判別テーブルを用いて判別した用紙の種類に変更されてもよい。
【０１８３】
図２２は、本発明の第３の実施の形態の第３の例において画像形成装置１が行う設定変更処理を示すフローチャートである。
【０１８４】
図２２を参照して、給紙トレイ１１の給紙トレイ情報の用紙の種類を設定した後で、ＣＰＵ１０２は、各種センサー１１２（ＩＤＣセンサー）にて中間転写ベルト２０ａに形成されたトナー像の濃度を検出し、検出結果に基づいて画像の品質を評価する（Ｓ９１）。続いてＣＰＵ１０２は、画像の品質が所定の値以下であるか否かを判別する（Ｓ９３）。
【０１８５】
ステップＳ９３において、画像の品質が所定の値以下であると判別した場合（Ｓ９３でＹＥＳ）、ＣＰＵ１０２は、坪量センサー２３にて測定した坪量が選択範囲内の値であるか否かを判別する（Ｓ９５）。
【０１８６】
ステップＳ９５において、坪量センサー２３にて測定した坪量が選択範囲内の値であると判別した場合（Ｓ９５でＹＥＳ）、ＣＰＵ１０２は、給紙トレイ１１の給紙トレイ情報として設定されている用紙種類の設定と、画質優先のテーブルで判別した用紙種類とが異なるか否かを判別する（Ｓ９７）。
【０１８７】
ステップＳ９３において、画像の品質が所定の値以下でないと判別した場合（Ｓ９３でＮＯ）、ステップＳ９５において、坪量センサー２３にて測定した坪量が選択範囲内の値でないと判別した場合（Ｓ９５でＮＯ）、またはステップＳ９７において、給紙トレイ１１の給紙トレイ情報として設定されている用紙種類の設定と、画質優先のテーブルで判別した用紙種類とが異ならないと判別した場合（Ｓ９７でＮＯ）、ＣＰＵ１０２は処理を終了する。
【０１８８】
ステップＳ９７において、給紙トレイ１１の給紙トレイ情報として設定されている用紙種類の設定と、画質優先のテーブルで判別した用紙種類とが異なると判別した場合（Ｓ９７でＹＥＳ）、ＣＰＵ１０２は、給紙トレイ１１の給紙トレイ情報の用紙の種類を、坪量センサー２３にて測定した坪量から、画質優先の用紙種類判別テーブルを用いて判別した種類に変更し（Ｓ９９）、処理を終了する。
【０１８９】
（設定変更処理の第４の例）
【０１９０】
設定変更処理の第４の例として、坪量センサー２３にて測定した坪量が選択範囲内の値であり、かつ用紙の種類を設定した後のジャムの発生回数が所定の回数を超えた場合に、用紙種類設定部１０９を用いて、給紙トレイ１１の給紙トレイ情報の用紙の種類が、坪量センサー２３にて測定した坪量が含まれる選択範囲に関連付けられた２つの用紙の種類のうち、搬送速度判別テーブルに記載された搬送速度が遅い方の種類に変更されてもよい。搬送速度が遅い方がジャムの発生の可能性が低減するためである。
【０１９１】
ここで、カウントされるジャムの発生回数は、用紙の搬送または印刷に関するジャムだけであってもよいし、対象となる給紙トレイ１１から搬送された用紙に起因するジャムだけであってもよい。
【０１９２】
図２３は、本発明の第３の実施の形態の第４の例において画像形成装置１が行う設定変更処理を示すフローチャートである。
【０１９３】
図２３を参照して、給紙トレイ１１の給紙トレイ情報の用紙の種類を設定した後で、ＣＰＵ１０２は、坪量センサー２３にて測定した坪量が選択範囲内の値であるか否かを判別する（Ｓ１０１）。
【０１９４】
ステップＳ１０１において、坪量センサー２３にて測定した坪量が選択範囲内の値であると判別した場合（Ｓ１０１でＹＥＳ）、ＣＰＵ１０２は、記憶装置１０６からジャムの発生回数を読み出し（Ｓ１０３）、読み出したジャムの発生回数が所定の値を超えたか否かを判別する（Ｓ１０５）。
【０１９５】
ステップＳ１０１において、坪量センサー２３にて測定した坪量が選択範囲内の値でないと判別した場合（Ｓ１０１でＮＯ）、またはステップＳ１０５において、読み出したジャムの発生回数が所定の値を超えていないと判別した場合（Ｓ１０５でＮＯ）、ＣＰＵ１０２は処理を終了する。
【０１９６】
ステップＳ１０５において、読み出したジャムの発生回数が所定の値を超えたと判別した場合（Ｓ１０５でＹＥＳ）、ＣＰＵ１０２は、給紙トレイ１１の給紙トレイ情報の用紙の種類を、選択範囲に関連付けられた２つの用紙の種類のうち、搬送速度判別テーブルに記載された搬送速度が遅い方の種類に変更し（Ｓ１０７）、処理を終了する。
【０１９７】
なお、本実施の形態における画像形成装置の構成および上述以外の動作は、第１の実施の形態の場合と同様であるため、その説明は繰り返さない。
【０１９８】
［その他］
【０１９９】
上述の実施の形態および実施の形態内の各例は、適宜組み合わせることが可能である。
【０２００】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０２０１】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２０２】
１  画像形成装置（用紙種類判別装置の一例）
１ａ  画像形成装置本体
１０  用紙搬送部（搬送手段の一例）
１１  給紙トレイ（収容部の一例）
１２  手差しトレイ（収容部の一例）
１３，１４  給紙ローラー
１５  レジストローラー
１６  排紙ローラー
１７  排紙トレイ
２０  トナー像形成部（画像形成手段の一例）
２０ａ  中間転写ベルト
２１  定着装置
２２  操作パネル（選択画面表示手段、設定画面表示手段、および他の選択画面表示手段の一例）
２３  坪量センサー（測定手段の一例）
１０１  システムコントローラー
１０２  ＣＰＵ（Ｃｅｎｔｒａｌ  Ｐｒｏｃｅｓｓｉｎｇ  Ｕｎｉｔ）
１０３  メモリ
１０４入力画像処理部
１０５  撮像部
１０６  記憶装置（記憶装置の一例）
１０７  出力画像処理部
１０８  プリンターエンジン
１０９  用紙種類設定部（設定手段、変更手段、第１の設定変更手段、第２の設定変更手段、および第３の設定変更手段の一例）
１１０  ネットワークインターフェイス
１１１  認証部
１１２  各種センサー（変更検出手段の一例）
１１３  位置情報取得部（位置取得手段の一例）
１１４  要否判別部（要否判別手段の一例）
１１５  評価部（評価手段の一例）
１４０  出力画像処理部
ＫＹ１，ＫＹ２，ＫＹ３，ＫＹ４，ＫＹ５，ＫＹ６，ＫＹ７，ＫＹ８，ＫＹ９，ＫＹ１０，ＫＹ１１，ＫＹ１２，ＫＹ１３  キー
Ｍ  用紙
ＰＰ１  ポップアップ
ＳＴ  転写位置
ＴＲ  搬送経路
【図１】
2020070137.tif 000003
【図２】
2020070137.tif 000004
【図３】
2020070137.tif 000005
【図４】
2020070137.tif 000006
【図５】
2020070137.tif 000007
【図６】
2020070137.tif 000008
【図７】
2020070137.tif 000009
【図８】
2020070137.tif 000010
【図９】
2020070137.tif 000011
【図１０】
2020070137.tif 000012
【図１１】
2020070137.tif 000013
【図１２】
2020070137.tif 000014
【図１３】
2020070137.tif 000015
【図１４】
2020070137.tif 000016
【図１５】
2020070137.tif 000017
【図１６】
2020070137.tif 000018
【図１７】
2020070137.tif 000019
【図１８】
2020070137.tif 000020
【図１９】
2020070137.tif 000021
【図２０】
2020070137.tif 000022
【図２１】
2020070137.tif 000023
【図２２】
2020070137.tif 000024
【図２３】
2020070137.tif 000025